(57)【特許請求の範囲】
【請求項１】
フラッシュ照明システムであって、
クロスクワッド構成の4つのセクションを備え、前記4つのセクションが第1のセクションと、前記第1のセクションの側方にある第2のセクションと、前記第1のセクションの側方にあり、前記第2のセクションの斜め向かいにある第3のセクションと、前記第2のセクションの側方にあり、前記第3のセクションの側方にあり、前記第1のセクションの斜め向かいにある第4のセクションとを含み、前記4つのセクションの各々が、
第1の重心を有する単一の発光領域と、
前記単一の発光領域を囲むパッケージであり、前記パッケージが出口開口を有し、前記出口開口が第2の重心を有し、前記第1の重心が前記第2の重心から横方向にオフセットされている、パッケージと
を含む光源と、
前記パッケージの前記出口開口に光学的に結合される入力開口と、
出力開口と、
前記光源から伝搬する光をコリメートするように構成された、前記入力開口と前記出力開口との間の1つまたは複数の側壁と
を含む反射器と
を含み、
前記4つのセクションが、
第1の単一の発光領域であり、前記第1の単一の発光領域の前記第1の重心が前記第1のセクションの右下部分にある、第1の単一の発光領域と、
第2の単一の発光領域であり、前記第2の単一の発光領域の前記第1の重心が前記第2のセクションの右上部分にある、第2の単一の発光領域と、
第3の単一の発光領域であり、前記第3の単一の発光領域の前記第1の重心が前記第3のセクションの左上部分にある、第3の単一の発光領域と、
第4の単一の発光領域であり、前記第4の単一の発光領域の前記第1の重心が前記第4のセクションの左下部分にある、第4の単一の発光領域と
を含む、または
前記4つのセクションが、
第5の単一の発光領域であり、前記第5の単一の発光領域の前記第1の重心が前記第1のセクションの右上部分にある、第5の単一の発光領域と、
第6の単一の発光領域であり、前記第6の単一の発光領域の前記第1の重心が前記第2のセクションの左下部分にある、第6の単一の発光領域と、
第7の単一の発光領域であり、前記第7の単一の発光領域の前記第1の重心が前記第3のセクションの左上部分にある、第7の単一の発光領域と、
第8の単一の発光領域であり、前記第8の単一の発光領域の前記第1の重心が前記第4のセクションの右下部分にある、第8の単一の発光領域と
を含む
フラッシュ照明システム。
【請求項２】
前記単一の発光領域が、発光ダイオード(LED)チップを含み、
前記パッケージが前記LEDチップを囲む蛍光体を含む
請求項１に記載のフラッシュ照明システム。
【請求項３】
前記LEDチップが青色LEDチップを含み、
前記蛍光体が黄色の蛍光体を含む
請求項２に記載のフラッシュ照明システム。
【請求項４】
前記パッケージが前記蛍光体を含む樹脂を含む、請求項２に記載のフラッシュ照明システム。
【請求項５】
前記単一の発光領域が、複数の発光ダイオード(LED)チップを含み、
前記パッケージが前記複数のLEDチップを囲む蛍光体を含む
請求項１に記載のフラッシュ照明システム。
【請求項６】
前記光源が白色光を出力するように構成される、請求項１に記載のフラッシュ照明システム。
【請求項７】
前記反射器がエタンデュを実質的に保持するように構成される、請求項１に記載のフラッシュ照明システム。
【請求項８】
前記反射器が、法線方向から、約±90度から約±30度までの半角で光源から伝搬する光をコリメートするように構成される、請求項７に記載のフラッシュ照明システム。
【請求項９】
前記反射器の前記入力開口と前記出力開口との間の距離が、数学的に形成された反射器のためのエタンデュを保持するように構成される算出された長さ未満である、請求項７に記載のフラッシュ照明システム。
【請求項１０】
前記算出された長さが、前記入力開口の第1の幅、前記出力開口の第2の幅、および前記反射器から伝搬する前記コリメートされた光の半角に少なくとも部分的に基づく、請求項９に記載のフラッシュ照明システム。
【請求項１１】
前記セクションが、前記出力開口に近接した光学要素を含む、請求項１に記載のフラッシュ照明システム。
【請求項１２】
前記光学要素が、レンズ、鏡、およびカラーフィルタのうちの少なくとも1つを含む、請求項１１に記載のフラッシュ照明システム。
【請求項１３】
フラッシュ照明システムであって、
クロスクワッド構成の4つのセクションを備え、前記4つのセクションが第1のセクションと、前記第1のセクションの側方にある第2のセクションと、前記第1のセクションの側方にあり、前記第2のセクションの斜め向かいにある第3のセクションと、前記第2のセクションの側方にあり、前記第3のセクションの側方にあり、前記第1のセクションの斜め向かいにある第4のセクションとを含み、前記4つのセクションの各々が、
第1の重心を有する、発光するための手段と、
発光手段を囲むパッケージであり、前記パッケージが出口開口を有し、前記出口開口が第2の重心を有し、前記第1の重心が前記第2の重心から横方向にオフセットされている、パッケージと
を含む光を生成するための手段と、
光生成手段から伝搬する光をコリメートするための手段と
を含み、
前記4つのセクションが、
第1の発光手段であり、前記第1の発光手段の前記第1の重心が前記第1のセクションの右下部分にある、第1の発光手段と、
第2の発光手段であり、前記第2の発光手段の前記第1の重心が前記第2のセクションの右上部分にある、第2の発光手段と、
第3の発光手段であり、前記第3の発光手段の前記第1の重心が前記第3のセクションの左上部分にある、第3の発光手段と、
第4の発光手段であり、前記第4の発光手段の前記第1の重心が前記第4のセクションの左下部分にある、第4の発光手段と
を含む、または
前記4つのセクションが、
第5の発光手段であり、前記第5の発光手段の前記第1の重心が前記第1のセクションの右上部分にある、第5の発光手段と、
第6の発光手段であり、前記第6の発光手段の前記第1の重心が前記第2のセクションの左下部分にある、第6の発光手段と、
第7の発光手段であり、前記第7の発光手段の前記第1の重心が前記第3のセクションの左上部分にある、第7の発光手段と、
第8の発光手段であり、前記第8の発光手段の前記第1の重心が前記第4のセクションの右下部分にある、第8の発光手段と
を含む
フラッシュ照明システム。
【請求項１４】
前記光生成手段が光源を含む、または
前記発光手段が単一の発光領域を含む、または
光コリメート手段が、
光生成手段の前記出口開口に光学的に結合される入力開口と、
出力開口と、
前記入力開口と前記出力開口との間の1つまたは複数の側壁と
を含む反射器
を含む
請求項１３に記載のフラッシュ照明システム。
【請求項１５】
前記光生成手段が前記発光手段を囲むルミネセンスのための手段を含む、請求項１３に記載のフラッシュ照明システム。
【請求項１６】
前記発光手段が、1つの発光ダイオード(LED)チップまたは複数のLEDチップを含み、
ルミネセンス手段が蛍光体を含む
請求項１５に記載のフラッシュ照明システム。
【請求項１７】
前記1つのLEDチップまたは前記複数のLEDチップが、1つの青色LEDチップまたは複数の青色LEDチップを含み、
前記蛍光体が黄色の蛍光体を含む
請求項１６に記載のフラッシュ照明システム。
【請求項１８】
光コリメート手段が、エタンデュを実質的に保持するように構成される、請求項１３に記載のフラッシュ照明システム。
【請求項１９】
フラッシュ照明システムを製造するための方法であって、
前記フラッシュ照明システムにおいて、クロスクワッド構成の4つのセクションを提供するステップであり、前記4つのセクションが第1のセクションと、前記第1のセクションの側方にある第2のセクションと、前記第1のセクションの側方にあり、前記第2のセクションの斜め向かいにある第3のセクションと、前記第2のセクションの側方にあり、前記第3のセクションの側方にあり、前記第1のセクションの斜め向かいにある第4のセクションとを含む、ステップと、
前記4つのセクションの各々について、反射器の入力開口を光源のパッケージの出口開口に光学的に結合するステップであり、前記光源が、第1の重心を有する単一の発光領域を含み、前記出口開口が第2の重心を有し、前記第1の重心が前記第2の重心から横方向にオフセットされ、前記反射器が前記入力開口と出力開口との間の1つまたは複数の側壁を含み、前記1つまたは複数の側壁が前記光源から伝搬する光をコリメートするように構成される、ステップと、
前記クロスクワッド構成内に前記単一の発光領域の各々を配置するステップと
を含み、前記4つのセクションが、
第1の単一の発光領域であり、前記第1の単一の発光領域の前記第1の重心が前記第1のセクションの右下部分にある、第1の単一の発光領域と、
第2の単一の発光領域であり、前記第2の単一の発光領域の前記第1の重心が前記第2のセクションの右上部分にある、第2の単一の発光領域と、
第3の単一の発光領域であり、前記第3の単一の発光領域の前記第1の重心が前記第3のセクションの左上部分にある、第3の単一の発光領域と、
第4の単一の発光領域であり、前記第4の単一の発光領域の前記第1の重心が前記第4のセクションの左下部分にある、第4の単一の発光領域と
を含む、または
前記4つのセクションが、
第5の単一の発光領域であり、前記第5の単一の発光領域の前記第1の重心が前記第1のセクションの右上部分にある、第5の単一の発光領域と、
第6の単一の発光領域であり、前記第6の単一の発光領域の前記第1の重心が前記第2のセクションの左下部分にある、第6の単一の発光領域と、
第7の単一の発光領域であり、前記第7の単一の発光領域の前記第1の重心が前記第3のセクションの左上部分にある、第7の単一の発光領域と、
第8の単一の発光領域であり、前記第8の単一の発光領域の前記第1の重心が前記第4のセクションの右下部分にある、第8の単一の発光領域と
を含む
方法。
【請求項２０】
前記単一の発光領域が青色LEDチップを含み、
前記パッケージが前記青色LEDチップを囲む黄色の蛍光体を含む
請求項１９に記載の方法。
【請求項２１】
前記反射器がエタンデュを実質的に保持するように構成される、請求項１９に記載の方法。
【請求項２２】
フラッシュ照明を提供する方法であって、クロスクワッド構成の4つのセクションの各々において、前記4つのセクションが第1のセクションと、前記第1のセクションの側方にある第2のセクションと、前記第1のセクションの側方にあり、前記第2のセクションの斜め向かいにある第3のセクションと、前記第2のセクションの側方にあり、前記第3のセクションの側方にあり、前記第1のセクションの斜め向かいにある第4のセクションとを含み、
それぞれのセクション内の光源からの光を生成するステップであり、前記光源が、
第1の重心を有する単一の発光領域と、
前記単一の発光領域を囲むパッケージであり、前記パッケージが出口開口を有し、前記出口開口が第2の重心を有し、前記第1の重心が前記第2の重心から横方向にオフセットされている、パッケージと
を含む、ステップと、
反射器の1つまたは複数の側壁によって前記光源から伝搬する前記光をコリメートするステップであり、前記1つまたは複数の側壁が入力開口と出力開口との間にあり、前記入力開口が、前記パッケージの前記出口開口に光学的に結合される、ステップと
を含み、
前記4つのセクションが、
第1の単一の発光領域であり、前記第1の単一の発光領域の前記第1の重心が前記第1のセクションの右下部分にある、第1の単一の発光領域と、
第2の単一の発光領域であり、前記第2の単一の発光領域の前記第1の重心が前記第2のセクションの右上部分にある、第2の単一の発光領域と、
第3の単一の発光領域であり、前記第3の単一の発光領域の前記第1の重心が前記第3のセクションの左上部分にある、第3の単一の発光領域と、
第4の単一の発光領域であり、前記第4の単一の発光領域の前記第1の重心が前記第4のセクションの左下部分にある、第4の単一の発光領域と
を含む、または
前記4つのセクションが、
第5の単一の発光領域であり、前記第5の単一の発光領域の前記第1の重心が前記第1のセクションの右上部分にある、第5の単一の発光領域と、
第6の単一の発光領域であり、前記第6の単一の発光領域の前記第1の重心が前記第2のセクションの左下部分にある、第6の単一の発光領域と、
第7の単一の発光領域であり、前記第7の単一の発光領域の前記第1の重心が前記第3のセクションの左上部分にある、第7の単一の発光領域と、
第8の単一の発光領域であり、前記第8の単一の発光領域の前記第1の重心が前記第4のセクションの右下部分にある、第8の単一の発光領域と
を含む
方法。
【請求項２３】
前記単一の発光領域の各々が青色LEDチップを含み、
前記パッケージの各々が前記青色LEDチップを囲む黄色の蛍光体を含む
請求項２２に記載の方法。
【請求項２４】
前記光をコリメートするステップが、エタンデュを実質的に保持するステップを含む、請求項２２に記載の方法。
【発明の詳細な説明】
【技術分野】
【０００１】
本開示は、たとえばカメラにおけるフラッシュ照明システムに関する。
【背景技術】
【０００２】
たとえばカメラにおけるものなどのフラッシュ照明システムは、撮影される被写体を照らすために、瞬間的な量の補足的な照明を提供することができる。たとえば、カメラは、ミリ秒程度の期間を有する光の放出など補足的な光のフラッシュを提供するための内蔵フラッシュ照明システムを含むことができる。たとえばセルラー電話などのソリッドステートカメラにおいて使用されるフラッシュ照明システムは、不都合な特性を有する。たとえば、これらのデバイスにおけるフラッシュ照明システムは、一般的に小さい5ミリメートル(mm)×5mmの開口を介して単一の発光ダイオード(LED)から光を提供することができる。そのようなシステムでは、光は、LEDからすべての方向に面発光される(たとえば、法線方向の約±90°の半角)ので、かなりの量の光を無駄にする可能性がある。いくつかのデバイスでは、一般に撮影される被写体に向けられる角度方向に、すべての方向に放出される光の一部を向けるために、単一のLEDが1つまたは複数のレンズと結合される。これらのレンズは、一般に、集光し、したがって、LEDによって放出される全光のうちのわずかな部分のみ、被写体に向けられる。さらに、白色LEDエミッタで使用されるとき、レンズの色収差は、LED発光の一般に不均一な色空間均一性と結合して、特に、向けられた光を黄褐色のリングが囲むなど、様々な色不均一性を有する白色出力光を生成する。
【発明の概要】
【課題を解決するための手段】
【０００３】
本開示のシステム、方法、およびデバイスは、それぞれ、複数の革新的態様を有し、それらの態様のうちのどれ1つ本明細書に開示されている望ましい属性に単独で関与することはない。
【０００４】
いくつかの実装形態では、フラッシュ照明システムは、複数のセクションを含む。各セクションは、光源と反射器とを含む。光源は、第1の重心を有する単一の発光領域を含む。光源は、単一の発光領域を囲むパッケージも含む。パッケージは、第2の重心を有する出口開口(exit aperture)を有する。第1の重心は、第2の重心から横方向にオフセットされる。反射器は、入力開口(input aperture)と、出力開口(output aperture)と、入力開口と出力開口との間の1つまたは複数の側壁とを含む。入力開口は、パッケージの出口開口に、光学的に結合される。1つまたは複数の側壁は、光源から伝搬する光をコリメートするように構成される。複数のセクションは、クロスクワッド構成(cross-quad configuration)の4つのセクションを含むことができる。単一の発光領域は、他の単一の発光領域の各々に対して非対称とすることができる。単一の発光領域は、青色発光ダイオード(LED)チップを含み、パッケージは、青色LEDチップを囲む黄色の蛍光体を含むことができる。反射器は、実質的にエタンデュを保持するように構成され得る。反射器の入力開口と出力開口との間の距離は、数学的に形成された反射器のためのエタンデュを保持するように構成される算出された長さ未満とすることができる。
【０００５】
いくつかの実装形態では、フラッシュ照明システムは、複数のセクションを含む。各セクションは、光を生成するための手段と、光生成手段から伝搬する光をコリメートするための手段とを含む。光を生成するための手段は、発光するための手段と、発光手段を囲むパッケージとを含む。発光手段は、第1の重心を有する。パッケージは、出口開口を有する。出口開口は、第2の重心を有する。第1の重心は、第2の重心から横方向にオフセットされる。複数のセクションは、クロスクワッド構成の4つのセクションを含むことができる。発光手段は、他の発光手段の各々に対して非対称とすることができる。光生成手段は、光源を含むことができる。発光手段は、単一の発光領域を含むことができる。光コリメート手段は、光生成手段の出口開口に光学的に結合された入力開口と、出力開口と、入力開口と出力開口との間の1つまたは複数の側壁とを含む反射器を含み得る。光生成手段は、青色発光ダイオード(LED)チップと、黄色の蛍光体とを含むことができる。光コリメート手段は、実質的にエタンデュを保持するように構成され得る。
【０００６】
いくつかの実装形態では、フラッシュ照明システムは、複数のセクションを含む。各セクションは、光源と反射器とを含む。光源は、第1の重心を有する単一の発光領域を含む。反射器は、入力開口と、出力開口と、入力開口と出力開口との間の1つまたは複数の側壁とを含む。入力開口は、第2の重心を有する。第1の重心は、第2の重心から横方向にオフセットされる。入力開口は、光源に光学的に結合される。1つまたは複数の側壁は、光源から伝搬する光をコリメートするように構成される。
【０００７】
いくつかの実装形態では、フラッシュ照明システムを製作するための方法は、フラッシュ照明システムにおいて複数のセクションを提供するステップと、複数のセクションの各々について、反射器の入力開口を光源のパッケージの出口開口に光学的に結合するステップとを含む。光源は、第1の重心を有する単一の発光領域を含む。出口開口は、第2の重心を有する。第1の重心は、第2の重心から横方向にオフセットされる。反射器は、入力開口と出力開口との間の1つまたは複数の側壁とを含む。1つまたは複数の側壁は、光源から伝搬する光をコリメートするように構成される。単一の発光領域は、青色LEDチップを含み、パッケージは、青色LEDチップを囲む黄色の蛍光体を含むことができる。反射器は、実質的にエタンデュを保持するように構成され得る。入力開口を出口開口に光学的に結合するステップは、クロスクワッド構成の4つのセクションの4つの出口開口に、4つの入力開口を光学的に結合するステップを含むことができる。この方法は、4つの単一の発光領域を、他の単一の発光領域の各々から非対称的に配置するステップをさらに含むことができる。
【０００８】
いくつかの実装形態では、フラッシュ照明を提供する方法は、複数のセクションの各々において、それぞれのセクション内の光源から光を生成するステップを含む。光源は、第1の重心を有する単一の発光領域と、単一の発光領域を囲むパッケージとを含む。パッケージは、第2の重心を有する出口開口を有する。第1の重心は、第2の重心から横方向にオフセットされる。この方法は、反射器の1つまたは複数の側壁によって光源から伝搬する光をコリメートするステップをさらに含む。1つまたは複数の側壁は、入力開口と出力開口との間にある。入力開口は、パッケージの出口開口に、光学的に結合される。単一の発光領域の各々は、青色LEDチップを含み、パッケージの各々は、青色LEDチップを囲む黄色の蛍光体を含むことができる。光をコリメートするステップは、実質的にエタンデュを保持するステップを含み得る。複数のセクションは、クロスクワッド構成の4つのセクションを含むことができる。単一の発光領域は、他の単一の発光領域の各々に対して非対称とすることができる。
【０００９】
本明細書で説明する主題の1つまたは複数の実装形態の詳細について、以下の添付の図面および説明において述べる。他の特徴、態様、および利点は、説明、図面、および特許請求の範囲から明らかになるであろう。以下の図の相対的な寸法は、一定の縮尺で描かれていない可能性があることに留意されたい。
【図面の簡単な説明】
【００１０】
【図１Ａ】フラッシュ照明システムの一例を示す図である。
【図１Ｂ】図1Aに示したフラッシュ照明システムにおける単一のセクションを示す断面図である。
【図２Ａ】図1Aに示したフラッシュ照明システムのセクションの光源ハウジングにおける光源を示す斜視図である。
【図２Ｂ】図2Aに示した例示的な光源を示す上面図である。
【図３Ａ】フラッシュ照明システムの4つのセクションの4つの単一の発光領域を含む4つの光源の例示的な配列を示す上面図である。
【図３Ｂ】フラッシュ照明システムの4つのセクションの4つの単一の発光領域を含む4つの光源の例示的な配列を示す上面図である。
【図４】例示的な反射器を示す側面図である。
【図５】ランバート光源からの光のコリメーションの一例を示す図である。
【図６Ａ】相互接続された反射器の構造の入力開口を光源パッケージハウジングの出口開口に集合的に結合する例示的な方法を示す図である。
【図６Ｂ】相互接続された反射器の構造の入力開口を光源パッケージハウジングの出口開口に集合的に結合する例示的な方法を示す図である。
【図７Ａ】フラッシュ照明システムにおいて使用可能な別の単一のセクションを示す断面図である。
【図７Ｂ】フラッシュ照明システムの4つのセクション内の4つの反射器の例示的な配置を示す上面図である。
【図８Ａ】改良された色均一性および空間均一性を示すフラッシュ照明システムを製作するための例示的な方法を示す図である。
【図８Ｂ】フラッシュ照明を提供する例示的な方法を示す図である。
【図９Ａ】カメラレンズおよびフラッシュ照明システムを含む表示デバイスを示すシステムブロック図の例を示す図である。
【図９Ｂ】カメラレンズおよびフラッシュ照明システムを含む表示デバイスを示すシステムブロック図の例を示す図である。
【図９Ｃ】カメラレンズおよびフラッシュ照明システムを含む表示デバイスを示すシステムブロック図の例を示す図である。
【発明を実施するための形態】
【００１１】
様々な図面中の同様の参照番号および名称は、同様の要素を示す。
【００１２】
以下の発明を実施するための形態は、発明的態様について説明する目的で、いくつかの実装形態を対象とする。しかしながら、本明細書の教示は多数の様々な方法で適用され得る。説明される実装態様は、静止している(たとえば静止画像)か動いている(たとえばビデオ)かにかかわらず、画像がキャプチャされる被写体に対して自動的で提供されるか手動で提供されるかにかかわらず、フラッシュ照明を提供するように構成された任意のデバイスにおいて実装され得る。より詳細には、実装形態は、限定はしないが、たとえばカメラ、カムコーダ、携帯電話、マルチメディアインターネット対応セルラー電話、スマートフォン、個人用携帯型情報端末(PDA)、ハンドヘルドまたはポータブルコンピュータ、ノートブック、ネットブック、タブレットパーソナルコンピュータ、ウェブカメラ、およびMP3プレーヤなど、画像をキャプチャすることができる様々な電子デバイスにおいて実装することができ、またはそれに関連付けられ得ることが企図される。また、本明細書の教示は、その一部は上述されており、さらに独立した別個のデバイスとして提供される、画像をキャプチャすることができる電子デバイスで使用されるように構成されたフラッシュ照明システムにおいて使用することができる。したがって、この教示は、各図にのみ示されている実装形態に限定されるものではなく、その代わりに当業者に容易に明らかになる広い適用性を有する。
【００１３】
フラッシュ照明システムのいくつかの実装形態は、別の光源のアレイを使用することによって、フラッシュ照明の指向性のソースを提供することができる。フラッシュ照明システムは、別のセクション内の光源の一意に配置された単一の発光領域を含むことができる。いくつかの実装態様のあるセクションは、全体的なフラッシュ照明システムの別個の部分であり、その光源から伝搬する光をコリメートするように構成された反射器および光源を含む。いくつかの実装形態では、別の光源における単一の発光領域は、各光源パッケージおよび/または各別のセクションの中央から横方向にオフセットされて配置され得る。各発光領域は、互いから非対称に配置され得る。また、いくつかのフラッシュ照明システムは、実質的にエタンデュを保持するために(たとえばエタンデュを保持するために)、数学的に形成されるコリメートする反射器を含み得る。いくつかの実装形態では、フラッシュ照明システムの光源は、白色光を生成するために黄色の蛍光体によって囲まれる青色LEDチップを含むことができる。
【００１４】
本開示で説明する主題の特定の実装形態は、以下の潜在的な利点のうちの1つまたは複数を実現するために実施することができる。たとえば、本明細書で説明するいくつかの実装形態は、生成された光を効率的に、色均一性における空間変化に対して抵抗して使用することができるように、フラッシュ照明のソースを提供することができる。様々な実装形態では、より小さい別々の光源のアレイを提供することによって、色均一性、空間均一性、および/またはフィールドカバレージの効率を達成することができる。たとえば、発光デバイスの開口を、各々が別の光源を有するより小さいセクションに分割することができる。均一性および/または効率は、各光源パッケージおよび/または各別のセクション内に別々の主要な光源を一意に配置することによって達成することができる。たとえば、放出された全光の色および/または空間の均一性を向上させるために、別々の光源を互いから非対称的に配置することができる。また、たとえば、無駄になる光の量を低減することができる集光およびコリメートの特性を有するエタンデュを保持する反射器によって、効率を向上させるために、別々の光源からの光を、所望の方向にコリメートすることもできる。したがって、上記のように、フラッシュ照明システムのいくつかの実装態様は、色および空間の均一性ならびに効率的なフィールドカバレージを達成するために、一意に配置された光源およびコリメートする反射器のセクションを含むことができる。
【００１５】
図1Aは、フラッシュ照明システム100の一例を示す。図1Bは、図1Aに示したフラッシュ照明システム100における単一のセクション111の断面図を示す。具体的には、図1Bは、図1Aの線A-Aに沿ったセクション111の断面図であるが、説明は、セクション110、111、112、および113の各々に適用可能である。フラッシュ照明システム100は、複数のセクション110、111、112、および113を含む。セクション110、111、112、および113の各々は、光源120および反射器150を含む。図1Bに示すように、光源ハウジング135は光源120を格納し、これは、単一の発光領域122(図1Aおよび図1Bに破線として示される)および単一の発光領域122を囲む光源パッケージ125を含む。
【００１６】
いくつかの実装形態では、各セクション110、111、112、および113内の単一の発光領域122は、光源パッケージ125の出口開口126(図1Bに一点鎖線として示される)の中心から横方向にオフセットされる。たとえば、単一の発光領域122は、図1Bのポイント124に重心を有する。光源パッケージ125の出口開口126は、図1Bのポイント127に重心を有する。図1Bに示すように、単一の発光領域122の重心124は、光源パッケージ125の出口開口126の重心127から横方向にオフセットされる。いくつかの実装形態では、横方向のオフセットは、単一の発光領域122によって定義される平面または光源パッケージ125の出口開口126のいずれかに平行する平面の重心の間の非ゼロの距離である。セクションの各々の重心からの横方向のオフセットの距離および方向が、他のセクションにおける横方向のオフセットと同じでも、または同じでなくてもよいことに留意されたい。各セクション110、111、112、および113の反射器150は、光源パッケージ125の出口開口126に光学的に結合することができる入力開口152を含む。反射器150は、出力開口154と、入力開口152と出力開口154との間の1つまたは複数の側壁155とをさらに含む。1つまたは複数の側壁155は、光源120から伝搬する光をコリメートするように構成され得る。
【００１７】
図2Aは、図1Aに示したフラッシュ照明システム100のセクション(たとえば、セクション110、111、112、または113)の光源ハウジング135における光源120の斜視図を示す。図2Bは、図2Aに示した例示的な光源120の上面図を示す。光源120は、単一の発光領域122を含む。本明細書で説明するように、光源120は、単一の発光領域122を囲むパッケージ125も含む。パッケージ125は、出口開口126を有する。
【００１８】
いくつかの実装形態では、単一の発光領域122および光源パッケージ125の出口開口126は、長方形または正方形の断面または上面の形状を有する。他の形状の単一の発光領域122および出口開口126(たとえば、台形、多項式、円形、卵形)も可能である。いくつかの実装形態の発光領域122の面積は、約0.01mm2と約0.04mm2との間、または約0.02mm2と約0.03mm2との間である。たとえば、発光領域122は、約0.16mm×0.16mmのサイズまたは約0.026mm2の面積であり得る。いくつかの実装態様における出口開口126の面積は、約0.5mm2と約2mm2との間、約0.6mm2約1.9mm2との間、約0.7mm2と約1.8mm2との間、約0.8mm2と約1.7mm2との間、約0.9mm2と約1.6mm2との間、または約1mm2と約1.5mm2との間である。たとえば、出口開口126は、約1mm×1mmのサイズまたは約1.25mm×1.25mmのサイズであり得る。単一の発光領域122および出口開口126が、たとえば正方形などの同様な形状を有するように図2Aおよび図2Bに示されているが、単一の発光領域122、および出口開口126は、異なる断面形状を有することができる。たとえば、単一の発光領域122の断面形状は長方形でもよく、一方、出口開口126の断面形状は正方形でもよい。
【００１９】
いくつかの実装形態では、単一の発光領域122は、1つのLEDチップを含む。いくつかの実装形態では、単一の発光領域122は、2つ以上のLEDチップを含む。たとえば、単一の発光領域122は、x×yのLEDチップ(たとえば、x行×y列またはx列×y行)のアレイを含むことができる。本明細書で説明したように、単一の発光領域122は、光源120で光が生成される全体の領域を指す。たとえば、光源が複数のLEDチップを含むデバイスのいくつかの実装形態では、単一の発光領域122と出口開口126との間の横方向のオフセットは、出口開口126の重心127と複数のLEDチップの全エリアの重心との間の大きさである。LEDチップは、たとえば、示されるように、電気接続130によって、パッケージ125と電子通信している電子構成要素(たとえばプリント回路板になど)にワイヤ接合され得、高分子材料(たとえば、樹脂またはエポキシ)は、単一の発光領域122を囲むことができる。図2Aに示すように、パッケージ125を、ハウジング135によって囲むこともできる。ハウジング135は、たとえば、高分子、セラミック、金属、誘電体、それらの組合せなどを含むことができ、光源120と他の電子構成要素との間の電気通信を提供することができる。
【００２０】
光源120の様々な実装形態は、白色光を出力するように構成され得る。たとえば、光源120は、1つまたは複数の白色LEDエミッタを含むことができる。いくつかの実装形態では、白色LEDエミッタは、赤、緑、および青色のLEDチップを含むことができる。赤、緑、および青色のLEDチップから放出される光が結合して、白色光が生成され得る。たとえば、1つまたは複数の白色LEDエミッタは、Citizen Electronics Co., Ltd.、Seoul Semiconductor Co., Ltd.、Philips Lumileds Lighting Company, Cree, Inc.、OSRAM Opto Semiconductors、またはNichia Corporationから入手可能なものと類似し得る。いくつかの実装形態では、光源120のパッケージ125は、たとえば、LEDチップを囲む共形蛍光体ラップまたは蛍光体層などの蛍光体を含む。たとえば、光源120は、白色光を生成するために青色LEDチップを囲む黄色、黄緑色、または緑色の蛍光体を含むことができる。いくつかの実装形態では、LEDチップを囲む樹脂またはエポキシは、蛍光体を含む。いくつかの実装形態では、1つまたは複数の青色LEDチップおよび蛍光体樹脂は、Nichia Corporation、Cree, Inc.、またはPhilips Lumileds Lighting Companyから入手可能なものと類似している。
【００２１】
様々な実装形態では、セクション110、111、112、および113の光源120は各々、たとえば黄色の蛍光体によって囲まれる1つの青色LEDチップを各々含む類似または同一の構成要素を含む。他の実装形態では、セクション110、111、112、および113の光源120は、他のセクション110、111、112、および113のうちの1つまたは複数とは異なる構成要素を含む。たとえば、1つのセクションは、1組の赤、緑、青色のLEDチップを有する白色LEDエミッタを含むことができる。さらに別の例では、1つのセクションは、黄色の蛍光体を含むことができ、別のセクションは黄緑色の蛍光体を含むことができる。
【００２２】
図2Aおよび図2Bに示した例示的な光源120は、フラッシュ照明システム100のセクション110、111、112、または113のための光源120の例を示す。光源120は、フラッシュ照明システム100の他の光源120の各々と別に形成される、または一体的に形成され得る。一例として、図1Aに示す2×2のクロスクワッド構成の4つの光源では、単一のパッケージハウジング135内に4つの光源120を形成し、4つの単一の発光領域122およびパッケージ材料125を格納するための4つの空腔を含むパッケージハウジング135が形成され得る。そのようなハウジング135を製造する様々な方法が可能である。たとえば、高分子ハウジング135は、4つの空腔で射出成形され得る。
【００２３】
図2Bに示すように、単一の発光領域122は、光源パッケージ125の出口開口126の中心から横方向にオフセットされる。たとえば、単一の発光領域122は、重心124を有する。重心124は、単一の発光領域122の2次元の発光面の質量中心とすることができる。パッケージ125の出口開口126も、重心127を有する。重心127は、出口開口126の2次元のエリアの質量中心とすることができる。単一の発光領域122の重心124は、パッケージ125の出口開口126の重心127から横方向にオフセットされる。いくつかの実装形態での横方向のオフセットは、少なくとも約0.1mm、少なくとも約0.15mm、少なくとも約0.2mm、少なくとも約0.25mm、少なくとも約0.3mm、少なくとも約0.35mm、少なくとも約0.4mm、少なくとも約0.45mm、少なくとも約0.5mm、少なくとも約0.6mm、少なくとも約0.7mm、少なくとも約0.75mm、少なくとも約0.8mm、少なくとも約0.9mm、少なくとも約1mm、少なくとも約1.5mm、または少なくとも約1.75mmである。いくつかの実装形態では、単一の発光領域122は、単一の発光領域122の重心124が出口開口126の角に近くなるように配置される。いくつかのセルラー電話の用途では、横方向のオフセットは約非ゼロの距離と約2mmとの間である。たとえば、単一の発光領域122は、約0.16mm×0.16mmのサイズとすることができ、パッケージ125の出口開口126は、最高約2.5mm×2.5mmまでとすることができる。幾何学的な制約が与えられると、この例での横方向のオフセットは、最高約1.8mmまでとすることができる。たとえば提供された異なる寸法の発光領域122および/または出口開口126など、横方向のオフセットのための他の値も可能である。
【００２４】
横方向のオフセットは、いくつかの実装形態では、(たとえば最大の辺など)出口開口126の辺の長さのパーセンテージによって測定され得る。いくつかの実装形態では、横方向のオフセットは、少なくとも約4%、少なくとも約6%、少なくとも約8%、少なくとも約10%、少なくとも約12%、少なくとも約14%、少なくとも約16%、少なくとも約18%、少なくとも約20%、少なくとも約24%、少なくとも約28%、少なくとも約30%、少なくとも約32%、少なくとも約36%、少なくとも約40%、少なくとも約60%、または少なくとも約70%である。いくつかの実装形態では、単一の発光領域122は、単一の発光領域122の重心124が出口開口126の角に近くなるように配置される。いくつかのセルラー電話の用途では、横方向のオフセットは約10%と約75%との間である。たとえば、単一の発光領域122は、約0.16mm×0.16mmのサイズとすることができ、パッケージ125の出口開口126は、最高約2.5mm×2.5mmまでとすることができる。幾何学的な制約が与えられると、この例での横方向のオフセットは、最高約72%までとすることができる。たとえば提供された異なる寸法の発光領域122および/または出口開口126など、横方向のオフセットのための他の値も可能である。
【００２５】
図2Bに示される例では、単一の発光領域122から放出される光は、パッケージ125の出口開口126の重心127を中心とするときよりも、右上角においてより高い強度の光を提供することができる。横方向にオフセットされた単一の発光領域122を有する他の光源120も有するフラッシュ照明システム100において使用されるとき、色均一性、空間均一性、および/または効率的なフィールドカバレージは、一部の従来のフラッシュ照明システムと比較していくつかの実装形態で向上され得る。空間的な混合のため、視覚上の外観は、より均一に見え得る。たとえば、フラッシュ照明システム100のいくつかの実装形態では、セクション110、111、112、および113内の単一の発光領域122は、他の単一の発光領域122の各々に対して非対称に配置され得る。いくつかのそのような実装形態は、(たとえば、黄褐色の光輪を低減するまたは除去するために)色均一性、放出された全光の空間均一性、および/またはフィールドカバレージの効率を増加させることができる。たとえば、光源120内のLEDチップから放出される光の強度は、一般に、発光領域の中心で最も高く、半径方向外向きに減少し、強度の空間分布となる。いくつかの実装形態では、光源の別々のセクションは、同じ開口空間についてより大きい距離にわたって広がる、放出された光の空間均一性を提供し、効率的なフィールドカバレージとなる。色均一性も、有色の光の空間的な混合によって影響を受け得る。白色LEDエミッタの隣接するセクションの例では、各エミッタは青色LEDチップおよび周囲の蛍光体によって形成され、青色LEDチップは各隣接するセクションにおける蛍光体に関して非対称的に配置され、各セクションからの非均一の光の集合的な遠距離の色の混合によって色均一性の向上が達成され得る。青色LEDチップを非対称的に囲む蛍光体層を有することによって、色均一性の向上が達成され得る。
【００２６】
図3Aおよび図3Bは、フラッシュ照明システムの4つのセクションの4つの単一の発光領域を含む4つの光源の例示的な配列の上面図を示す。図3Aでは、例示的なフラッシュ照明システム200は、4つのセクション210、211、212、および213を含む。フラッシュ照明システム200は、約5mm×5mmのサイズとすることができ、一方、セクション210、211、212、および213は各々、約2.5mm×2.5mm以下であり得る。図3Aの4つのセクション210、211、212、および213は、クロスクワッド構成で配列される。セクション210は左上角にあり、セクション211は右上角にあり、セクション212は左下角にあり、セクション213は右下角にある。この例では、4つのセクション210、211、212、および213は、2×2のアレイを形成する。たとえば、1×2、2×1、1×3、3×1、1×4、4×1、2×2、2×3、3×2、3×3、3×4、4×3、4×4など、4つよりも多い、またはそれよりも少ないセクションを含む他のm×nのアレイ(たとえば、m行×n列、またはm列×n行)が可能である。いくつかの実装形態では、追加のセクションは、アレイにおいて4つのセクションが接する位置に配置され得る。たとえば、図3Aに示した2×2のクロスクワッド構成のクロスの交点に、追加のセクションが配置され得、結果として5つのセクションとなる。
【００２７】
第1のセクション210は、第1のセクション210の右下部分に第1の単一の発光領域220を含む。第1のセクション210の側方には、第2のセクション211がある。第2のセクション211は、第2のセクション211の右上部分に第2の単一の発光領域221を含む。第1のセクション210の側方、および第2のセクション211の斜め向かいには、第3のセクション212がある。第3のセクション212は、第3のセクション212の左上部分に第3の単一の発光領域222を含む。第2のセクション211の側方、第3のセクション212の側方、および第1のセクション210の斜め向かいには、第4のセクション213がある。第4のセクション213は、第4のセクション213の左下部分に第4の単一の発光領域223を含む。この実装形態では、単一の発光領域220、221、222、および223は、他の単一の発光領域の各々に対して非対称であり、図1Aに示す対応する反射器の受信開口への入力として適用されるとき、結果的に、いくつかの従来のフラッシュ照明システムよりも良好な色均一性、空間均一性、および/または効率的なフィールドカバレージとなる。
【００２８】
たとえば図3Bに示すように、非対称の単一の発光領域の他の実装形態も可能である。図3Bでは、例示的なフラッシュ照明システム300は、4つのセクション310、311、312、および313を有する。第1のセクション310は、第1のセクション310の右上部分に第1の単一の発光領域320を含む。第1のセクション310の側方には、第2のセクション311がある。第2のセクション311は、第2のセクション311の左下部分に第2の単一の発光領域321を含む。第1のセクション310の側方、および第2のセクション311の斜め向かいには、第3のセクション312がある。第3のセクション312は、第3のセクション312の左上部分に第3の単一の発光領域322を含む。第2のセクション311の側方、第3のセクション312の側方、および第1のセクション310の斜め向かいには、第4のセクション313がある。第4のセクション313は、第4のセクション313の右下部分に第4の単一の発光領域323を含む。本実装形態の単一の発光領域320、321、322、および323は、他の単一の発光領域の各々に対して非対称であり、図1Aに示す対応する反射器の受信開口への入力として適用されるとき、結果的に、いくつかの従来のフラッシュ照明システムよりも良好な色均一性、空間均一性、および/または効率的なフィールドカバレージとなる。
【００２９】
再び図1Aの例示的なフラッシュ照明システム100および図1Bの例示的なセクション111を参照すると、各セクション110、111、112、および113は、反射器150を含む。図4は、例示的な反射器150の側面図を示す。各反射器150は、入力開口152と、出力開口154と、それらの間の1つまたは複数の側壁155とを含む。図1Bに示すように、反射器150の入力開口152は、光源パッケージ125の出口開口126に光学的に結合される。1つまたは複数の側壁155は、光源120から伝搬する光をコリメートするように構成される。図1Aにおいて、反射器は、互いからわずかに間隔を置いて配置される出力開口154を有し、何らかの厚みを有する端部を含む。これらの実装形態は、製造可能性のために有利である。たとえば、端部は、約0.1mmと約1mmとの間とすることができる。他の実装形態では、出力開口は、隣接するおよび/またはナイフ状の端部を有することができる。
【００３０】
いくつかの実装形態では、入力開口152は、矩形(たとえば、正方形など)の断面積を有することができる。出力開口154も、矩形(たとえば、正方形など)の断面積を有することができる。入力開口152および/または出力開口154の他の形状(たとえば、台形、多項式、円形、卵形)が使用され得る。いくつかの実装形態では、入力開口152、および出力開口154の形状は、互いに同じ、または互いに異なり得る。いくつかの実装態様における入力開口152の面積は、約0.5mm2と約2mm2との間、約0.6mm2約1.9mm2との間、約0.7mm2と約1.8mm2との間、約0.8mm2と約1.7mm2との間、約0.9mm2と約1.6mm2との間、または約1mm2と約1.5mm2との間である。たとえば、入力開口152は、約1mm×1mmのサイズまたは約1.25mm×1.25mmのサイズであり得る。いくつかの実装形態の出力開口154の面積は、約1mm2と約6.5mm2との間、または約1.25mm2と約6.25mm2との間である。たとえば、いくつかのセルラー電話の用途では、フラッシュ照明システム100は、約5mm×5mmのサイズであり、4つの反射器150を含み、各々約2.5mm×2.5mmのサイズの出力開口154または約6.25mm2の面積を有している。
【００３１】
図1Bに示すように、反射器150の入力開口152が光源パッケージ125の出口開口126に光学的に結合されるので、入力開口152は出口開口126と同じ形状および/または同じ面積を有する。他の実装形態では、入力開口152および出口開口126は、異なる形状および/または面積を有し得る。
【００３２】
いくつかの実装形態で、1つまたは複数の側壁155は、図1Aに示すように、第1の側壁156、第2の側壁157(第1の側壁156の反対側にあり、第1の側壁156に対向する)、第3の側壁158、および第4の側壁159(第3の側壁158の反対側にあり、第3の側壁158に対向する)を含む。第1の側壁156および第2の側壁157は1対の側壁と考えることができ、第3の側壁158および第4の側壁159も1対の側壁と考えることができ、したがって、反射器150は側壁の対を含むと考えることができる。
【００３３】
1つまたは複数の側壁155は、光源120の出口開口126から伝搬する光をコリメートするように構成され得る。たとえば、反射器150の側壁156、157、158、および159は、法線方向から、約±90°から約±20°と約±40°との間までの光をコリメートすることができる。たとえば、反射器150は、法線方向から、約±90°から約±20°、約±25°、約±30°、約±35°、約±40°などの光をコリメートすることができる。いくつかの実装形態では、反射器150は、本明細書で説明するように、光の無駄を低減するために、集光し、所望の方向に光をコリメートする。
【００３４】
図5は、ランバート光源からの光のコリメーションの一例を示す。図5に示すように、ランバート光源からの光は、ルーメン当たりの無駄を低減するために、法線方向から、約±90°の放出の半角から約±30°の半角までコリメートされ得る。たとえば、法線方向から約±90°のLEDの発光から約±30°の光のみが使用されるとき、ルーメン当たり最高約0.75ルーメンが無駄になり得る。約±30°の間ではないために無駄になったであろう光の少なくとも一部が、法線方向から約±30°の光に含まれるようにコリメートされるので、コリメートする反射器有りのフラッシュ照明システムのうちのいくつかの実装形態は、コリメートする反射器無しのフラッシュ照明システムよりも明るい光を放出することができる。ランバートソースからの光が約±30°までコリメートされるいくつかの実装形態では、コリメーション無しと比較して、ルクスで4倍の増加を達成することができる。光の均一性も、2倍増加し得る。(たとえばランバートソースからの光が約±30°未満までコリメートされる)他の実装形態では、コリメーション無しと比較して、ルクスで4倍を超える増加を達成することができる。光の均一性も、2倍を超えて増加し得る。
【００３５】
いくつかの実装形態では、反射器150は、エタンデュを保持する反射器を含む。たとえば、エタンデュを保持するために、たとえば、156、157、158、および159など、反射器150の1つまたは複数の側壁155、入力開口152の第1の幅w1または面積A1と、出力開口154の第2の幅w2または面積A2と、出力開口154を出るコリメートされた光の半角θとの間で数学的に形成される。(たとえば、ランバートソースから)入力開口に入る光の半角が約±90°であるいくつかの実装形態では、数学的形状は、式(1A)および式(1B)で説明するように、正弦定理の反射器設計によって決定され得る。
w1×sin90°=w2×sinθ  式(1A)
A1×sin290°=A2×sin2θ  式(1B)
90°の正弦が一致、または約90°の正弦が一致に近づくので、数学的形状は、縮小された式(2A)および式(2B)で説明するように、正弦定理の反射器設計によって決定され得る。
w1=w2×sinθ  式(2A)
A1=A2×sin2θ  式(2B)
【００３６】
入力開口152と出力開口154との間の距離である反射器150の長さLは、式(3)によって与えられ得る。
L=0.5*(w1+w2)/tanθ  式(3)
いくつかの実装形態では、コリメーション半角は、たとえば、約25°、約30°、または約35°など、約20°と約40°との間である。約2.5mmの幅w2を有する出力開口154では、反射器150は、たとえば、後述するようにいくつかの用途では切り捨てられ得る、約2.8mm、約3.25mm、または約3.8mmなど、約2.5mmと約4.5mmとの間の理想的な長さLを有することができる。いくつかの例では、たとえば、156、157、158、および159など、1つまたは複数の側壁155の数学的形状は、複素多項式の形状である。さらなる例では、数学的形状は、同じく複素多項式の形態で表され得る複合放物面集光器(CPC: compound parabolic collector)の場合のように傾斜した放物線状の形状のものである。
【００３７】
いくつかの実装形態では、たとえば、156、157、158、および159など、1つまたは複数の側壁155は、たとえば、金属、または金属フィルムで被覆されている高分子材料から製作される金属材料を含む。側壁156、157、158、および159は、他の側壁の各々と同じまたは異なり得(たとえば、異なる数学的形状、傾斜角などを有する)、対向する側壁の対は、互いに同じまたは異なり得る(たとえば、異なる数学的形状、傾斜角などを有する)。
【００３８】
図4に示した例示的な反射器150は、フラッシュ照明システム100の単一のセクション110、111、112、および113のための単一の反射器150の一例を示す。反射器150は、フラッシュ照明システム100の他の反射器150の各々と別に形成される、または一体的に形成され得る。一例として、図1Aに示す2×2のクロスクワッド構成の4つの反射器150では、相互接続された構造は、ある厚みを有する材料に4つの穴を形成し、構造内に4つの反射器150を形成することによって形成され得る。別の例として、高分子材料は、その形状に射出成形され、次いで、反射材料で被覆され得る。そのような構造を製造する様々な方法が可能である。
【００３９】
各入力開口152は、別に、またはグループとして集合的に、各出口開口126に光学的に結合され得る。図6Aおよび図6Bは、相互接続された反射器の構造の入力開口を光源パッケージハウジングの出口開口に集合的に結合する例示的な方法を示す。図6Aでは、4つの反射器の入力開口450(図示していないが、矢印450の一般的な方向)は、フラッシュ照明システム400を形成するために、4つの光源の出口開口425に集合的に結合される。4つの出口開口425は、フランジ426を含むパッケージハウジングにあり、入力開口450は、フランジ426から突出するエリアの周りに適合するベゼル構造(図示せず)に接続されている。図6Bでは、4つの反射器の入力開口550(図示していないが、矢印550の一般的な方向)は、フラッシュ照明システム500を形成するために、4つの光源の出口開口525に集合的に結合される。4つの出口開口525は、4つの開口526を含むパッケージハウジングにあり、入力開口550は、開口526に嵌合する突起部551に接続されている。開口526は、パッケージハウジングによって、部分的に、または完全に突出し得る。他の集合的な結合方法および個々の結合方法が可能である。
【００４０】
図7Aは、フラッシュ照明システムで使用可能な別の単一のセクション611の断面図を示す。図7Aに示すように、光源ハウジング135は光源120を格納し、これは、単一の発光領域122(破線として示される)および単一の発光領域122を囲む光源パッケージ125を含む。
【００４１】
いくつかの実装形態では、セクション611内の単一の発光領域122は、光源パッケージ125の出口開口126(図7Aに一点鎖線として示される)の中心から横方向にオフセットされるのではなく、反射器150の入力開口152の中心から横方向にオフセットされる。たとえば、単一の発光領域122は、図7Aのポイント124にある重心を有する。反射器150の入力開口152も、図7Aのポイント129にある重心を有する。図7Aに示すように、単一の発光領域122の重心124は、反射器150の入力開口152の重心129から横方向にオフセットされる。反射器150の入力開口152は、光源パッケージ125の出口開口126に光学的に結合され得る。反射器150は、出力開口154と、入力開口152と出力開口154との間の1つまたは複数の側壁155とをさらに含む。1つまたは複数の側壁155は、光源120から伝搬する光をコリメートするように構成され得る。
【００４２】
図7Bは、フラッシュ照明システムの4つのセクション内の4つの反射器の例示的な配置の上面図を示す。図7Bでは、例示的なフラッシュ照明システム700は、4つのセクション710、711、712、および713を含む。第1のセクション710は、第1のセクション710の右下部分に入力開口730を有する第1の反射器を含む。第1のセクション710の側方には、第2のセクション711がある。第2のセクション711は、第2のセクション711の右上部分に入力開口731を有する第2の反射器を含む。第1のセクション710の側方、および第2のセクション711の斜め向かいには、第3のセクション712がある。第3のセクション712は、第3のセクション712の左上部分に入力開口732を有する第3の反射器を含む。第2のセクション711の側方、第3のセクション712の側方、および第1のセクション710の斜め向かいには、第4のセクション713がある。第4のセクション713は、第4のセクション713の左下部分に入力開口733を有する第4の反射器を含む。この実装形態では、反射器の入力開口730、731、732、および733は、他の入力開口の各々に対して非対称であり、これは、いくつかの従来のフラッシュ照明システムよりも良好な色均一性、空間均一性、および/または効率的なフィールドカバレージを提供することができる。他の配置は可能であり、たとえば、反射器を、図3Bに示すように配置することができる。いくつかの実装形態では、反射器150の傾斜した側壁155による使用から発光領域122がブロックされないように、また、発光領域122からのフラックスが反射器150を介した出力に利用できるように、発光領域122は各セクション内に配置される。
【００４３】
いくつかの実装形態は、本明細書で説明する正弦定理の反射器設計から反射器長Lがシステマティックに低減されるので、光線トレースプログラムで分析することができる。コリメーション半角θは、反射器150の低減されたサイズに関連した光の拡散の補償でシステマティックに増加し得る。これらの実装形態では、指定された被写体の近傍における出力光の形状および光学均一性を監視しながら、反射器長Lおよびコリメーション半角θのシステマティックな低減が起こり得る。いくつかの例では、これらの実装形態は、各経線における目標の角度範囲を有する被写体を囲む所望のフィールドパターンを実質的に生成(たとえば、生成)する可能な限り短い反射器長につながり得る。また、これらの実装形態は、被写体周辺で所望の空間および色光均一性を達成する、長さの低減と角度コリメーションの増加との組合せを選択することを可能にすることができる。
【００４４】
いくつかの実装形態では、反射器150の長さLは、理想的な数学的に形成された反射器のために算出された長さ未満である。反射器150の長さLは、第1の半角θ1の長さLとなるように設計され得、しかし、反射器150は、次いで、第1の半角θ1よりも大きい第2の半角θ2のために設計される長さLに切り捨てられる。たとえば、所望のコリメーション半角θが±30°である場合、長さLを計算することができる(L=0.5*(w1+w2)/tan30°=0.9*(w1+w2))。所望のコリメーション半角θが±25°である場合、長さLを計算することができ(L=0.5*(w1+w2)/tan25°=1.1*(w1+w2))、次いで、長さLは、所望のコリメーション半角θが±30°である場合に算出された長さとなる0.9*(w1+w2)に切り捨てられ得る。これらの実装形態では、反射器は、その非理想(切り捨てられた)境界条件に関してエタンデュを依然として実質的に保持することができ、所望の均一性も提供することができる。いくつかの他の実装形態では、長さLは、第2の半角θ2のために計算され、次いで、第2の半角θ2未満の第1の半角θ1のために設計される長さLまで伸張される。
【００４５】
いくつかの実装形態では、反射器150の長さLは、幾何学的な制約のために、数学的に形成された反射器のために算出された長さ未満である。たとえば、反射器150の長さLは、コリメーション半角θのための長さLになるように設計され得、しかし、反射器150は、次いで、デバイスの所与の仕様(たとえば、厚み)のための長さLに切り捨てられる。切り捨てによって出力角度が拡大し得るので、いくつかの実装形態は、より狭いコリメーション半角θのために再設計することによる補償を提供する。たとえば、セルラー電話のためのいくつかのカメラのフラッシュ照明システム100では、約±30°のコリメーション半角θが望まれる。フラッシュ照明システム100は、2.5mm×2.5mmの出力開口154を有する反射器150を含み得る。式(2A)および(3)から、2.5mmをw2として使用して、反射器150の理想的な長さLを計算することができる。
w1=w2×sinθ=2.5mm×sin30°=1.25mm
L=0.5*(w1+w2)/tanθ=0.5*(1.25mm+2.5mm)/tan30°=3.25mm
【００４６】
反射器150の理想的な長さLは、この例では、約3.25mmであり、それは、たとえば、1mmから約1.5mmなど、いくつかのセルラー電話の厚さの仕様では高すぎる可能性がある。上述のように、切り捨てによる出力角度の拡大を補償するために、いくつかの実施形態は、より狭いコリメーション半角θのために再設計され得る。たとえば、約±25°のコリメーション半角θを使用して、反射器150の理想的な長さLを、式(2A)および式(3)から計算することができる。
w1=w2×sinθ=2.5mm×sin25°=1.06mm
L=0.5*(w1+w2)/tanθ=0.5*(1.06 mm+2.5mm)/tan25°=3.81mm
【００４７】
上記で示したように、約±25°のより狭いコリメーション半角のための理想的な長さLは、約3.81mmである。光線トレースプログラムを使用して、約3.25mmから約1.5mmまで切り捨てることは、約3.81mmから約1.5mmまで切り捨てることよりも広い角度分布を提供する。したがって、いくつかの実装形態は、切り捨て前のより狭いコリメーション半角θを使用して反射器150を設計することによって、切り捨てからの出力角度の拡大の補償を提供することができる。
【００４８】
いくつかの実装形態では、フラッシュ照明システム100のセクション110、111、112、および113のうちの1つまたは複数の反射器150は、少なくとも部分的に材料で満たされる。例示的な材料は、空気などの気体、または高分子などの固体を含む。1よりも大きい屈折率を有する材料は、反射器150の長さLを増加させることができるが、剛性も提供し得る。いくつかの実装形態では、フラッシュ照明システム100のセクション110、111、112、および113のうちの1つまたは複数は、出力開口154(図示せず)に近接した光学要素を含む。たとえば、光学要素は、レンズ、鏡、またはカラーフィルタのうちの少なくとも1つを含むことができる。光学要素は、出力開口154に近接した反射器150の剛性も増加させ得る。
【００４９】
図8Aは、改良された色均一性および空間均一性を示すフラッシュ照明システムを製作するための例示的な方法を示す。例示的な方法1000は、たとえば、本明細書で説明するフラッシュ照明システム100を製作するために使用され得る。たとえば、ブロック1005に示すように、方法1000は、複数のセクションを提供するステップを含む。次いで、方法1000は、ブロック1010に移行し、その光源および異なるセクション内の各単一の発光領域の非対称が他の単一の発光領域および他の異なるセクションにおける他の光源の非対称と異なるように、フラッシュ照明システムの異なるセクションにおける各光源の単一の発光領域が配置される。たとえば、ブロック1010は、単一の発光領域をハウジングの空洞に配置するステップと、単一の発光領域を電気的に接続するステップと、(たとえば、蛍光体を含む)樹脂で単一の発光領域をカプセル化するステップとの1つまたは複数を含むことができる。各単一の発光領域122は、いくつかの実装形態では、青色LEDチップを含み、パッケージ125は、青色LEDチップを囲む黄色の蛍光体を含むことができる。次いで、方法1000は、ブロック1020に移行する。
【００５０】
ブロック1020に示すように、方法1000は、反射器150の入力開口152を複数のセクションの各々に関して光源120の出口開口126に光学的に結合するステップも含む。本明細書で説明するように、光源120は、第1の重心124を有する単一の発光領域122を含むことができる。出口開口126は、第2の重心127を有する。第1の重心124は、第2の重心127から横方向にオフセットされる。反射器150は、入力開口152と出力開口154との間の1つまたは複数の側壁155を含む。1つまたは複数の側壁155は、光源120から伝搬する光をコリメートするように構成される。いくつかの実装形態では、反射器150は、エタンデュを実質的に保持することができる(たとえば、エタンデュを保持することができる)。ブロック1020に示すように、入力開口152を出口開口126に光学的に結合するステップは、いくつかの実装形態では、クロスクワッド構成の4つのセクションの4つの出口開口に、4つの入力開口を光学的に結合するステップを含むことができる。
【００５１】
図8Bは、フラッシュ照明を提供する例示的な方法を示す。たとえば、方法2000は、本明細書で説明するように、複数のセクションを有するフラッシュ照明システム100からフラッシュ照明を提供することができる。たとえば、方法2000は、ブロック2010に示すように、複数のセクションの各々において、それぞれのセクション内の光源120から光を生成するステップを含む。光源120は、光源パッケージ125の出口開口126から横方向にオフセットされる単一の発光領域122を含む。たとえば、光源120は、単一の発光領域122、および単一の発光領域122を囲むパッケージ125を含み得る。単一の発光領域122は、第1の重心124を有することができる。パッケージ125は、第2の重心127を有する出口開口126を有することができる。単一の発光領域122の第1の重心124は、パッケージ125の出口開口126の第2の重心127から横方向にオフセットされ得る。方法2000は、ブロック2020に示すように、たとえば、156、157、158、および159など、反射器150の1つまたは複数の側壁155を有する光源120から伝搬する光をコリメートするステップをさらに含み得る。たとえば、156、157、158、および159など、反射器150の1つまたは複数の側壁155は、入力開口152と出力開口154との間にあり得る。入力開口152は、パッケージ125の出口開口126に、光学的に結合され得る。ブロック2020に示すように、光をコリメートするステップは、いくつかの実装形態では、エタンデュを実質的に保持する(たとえば、エタンデュを保持する)ステップを含み得る。
【００５２】
いくつかの実装形態では、単一の発光領域122は、青色LEDチップを含み、パッケージ125は、青色LEDチップを囲む黄色の蛍光体を含むことができる。いくつかの方法2000では、複数のセクションは、クロスクワッド構成の4つのセクションを含むことができる。4つのセクション内の単一の発光領域は、他の単一の発光領域の各々に対して非対称とすることができる。
【００５３】
図9A〜図9Cは、カメラレンズ42およびフラッシュ照明システム44を含む表示デバイス40を示すシステムブロック図の例を示す。図9Aは、表示デバイス40の正面図を示し、図9Bは、背面図を示す。この表示デバイス40は、たとえば、スマートフォン、セルラー電話、または携帯電話など、内蔵カメラを有するデバイスであってもよい。また、表示デバイス40の構成要素またはそのわずかなバリエーションは、たとえばポータブルコンピュータ、ノートブック、ネットブック、タブレットパーソナルコンピュータ、およびポータブルメディアプレーヤなど、画像キャプチャ機能を備える様々なタイプの表示デバイスを示す。
【００５４】
表示デバイス40は、ハウジング41、ディスプレイ30、カメラ49、カメラレンズ42、アンテナ43、フラッシュ照明システム44、スピーカ45、入力デバイス48(たとえばタッチスクリーンなど、ディスプレイ30と統合され得る)、およびマイクロフォン46を含む。ハウジング41は、射出成形および真空成形を含む様々な製造プロセスのいずれかによって形成されてもよい。ハウジング41は、プラスチック、金属、ガラス、ゴム、およびセラミック、それらの組合せなどを含むがそれらに限らない様々な材料のいずれかから作られてもよい。ハウジング41は、異なる色を有するかまたはそれぞれの異なるロゴ、絵、または記号を含む取外し可能な他の部分と交換されてもよい取外し可能な部分(図示せず)を含んでもよい。
【００５５】
ディスプレイ30は、双安定ディスプレイ、マルチステートディスプレイ、またはアナログディスプレイを含む様々なディスプレイのいずれかであってもよい。ディスプレイ30は、プラズマ、EL、OLED、STN LCD、もしくはTFT LCDのようなフラットパネルディスプレイ、またはCRTもしくは他のチューブデバイスのようなノンフラットパネルディスプレイを含むように構成されてもよい。ディスプレイ30は、干渉変調器(IMOD)ディスプレイを含むことができる。表示デバイス40は、たとえば、カメラ49、カメラレンズ42、およびフラッシュ照明システム44など、画像キャプチャモジュールを含むこともできる。フラッシュ照明システム44(およびその構成要素)は、一般に、図1A〜図7Bを参照しながら説明するフラッシュ照明システムと類似し得る。
【００５６】
表示デバイス40の構成要素が図9Cに概略的に示されている。表示デバイス40は、ハウジング41を含み、表示デバイス40内に少なくとも部分的に密閉された追加の構成要素を含んでもよい。たとえば、表示デバイス40は、カメラ49およびフラッシュ照明システム44を含む。表示デバイス40は、トランシーバ47に結合されたアンテナ43を含むネットワークインターフェース27も含む。トランシーバ47は、調整ハードウェア52に接続されたプロセッサ21に接続されている。調整ハードウェア52は、信号を調整する(たとえば、信号をフィルタリングする)ように構成されてもよい。調整ハードウェア52は、スピーカ45およびマイクロフォン46に接続されてもよい。プロセッサ21は、入力デバイス48、カメラ49、フラッシュ照明システム44、およびドライバコントローラ29にも接続されている。プロセッサ21は、カメラ49および/またはフラッシュ照明システム44を制御するために、ソフトウェア、コード、または1つもしくは複数のアプリケーションを含むことができる。たとえば、プロセッサ21は、(たとえば、ユーザ制御キーなど)入力デバイス48からのユーザ入力に応答して、および/またはセンサー(たとえば、周辺光センサーなど)からのセンサー信号に応答して、カメラ49および/またはフラッシュ照明システム44を制御することができる。ドライバコントローラ29は、フレームバッファ28およびアレイドライバ22に結合されており、アレイドライバ22はディスプレイアレイ30に結合されている。電源50は、特定の表示デバイス40設計によって要求されるすべての構成要素に電力を供給することができる。
【００５７】
ネットワークインターフェース27は、表示デバイス40がネットワークを介して1つまたは複数のデバイスと通信することができるようにアンテナ43とトランシーバ47とを含む。ネットワークインターフェース27は、たとえばプロセッサ21のデータ処理要件を軽減するいくつかの処理機能を有してもよい。アンテナ43は、信号を送受信することができる。いくつかの実装形態では、アンテナ43は、IEEE16.11(a)、IEEE16.11(b)、またはIEEE16.11(g)を含むIEEE16.11標準、あるいはIEEE802.11a、IEEE802.11b、IEEE802.11g、IEEE802.11nを含むIEEE802.11標準に従ってRF信号を送受信する。いくつかの他の実装形態では、アンテナ43は、BLUETOOTH(登録商標)規格に従ってRF信号を送受信する。セルラー電話の場合、アンテナ43は、符号分割多元接続(CDMA)、周波数分割多元接続(FDMA)、時分割多元接続(TDMA)、Global System for Mobile communications (GSM(登録商標))、GSM(登録商標)/General Packet Radio Service (GPRS)、Enhanced Data GSM(登録商標) Environment (EDGE)、Terrestrial Trunked Radio (TETRA)、Wideband-CDMA (W-CDMA(登録商標))、Evolution Data Optimized (EV-DO)、1xEV-DO、EV-DO Rev A、EV-DO Rev B、High Speed Packet Access (HSPA)、High Speed Downlink Packet Access (HSDPA)、High Speed Uplink Packet Access (HSUPA)、Evolved High Speed Packet Access (HSPA+)、Long Term Evolution (LTE)、AMPS、または3G技術もしくは4G技術を利用するシステムのような、ワイヤレスネットワーク内で通信するのに使用される他の公知の信号を受信するように設計されている。トランシーバ47は、アンテナ43から受信された信号をプロセッサ21によって受信しさらに操作することができるように前処理する。トランシーバ47は、プロセッサ21から受信された信号を表示デバイス40からアンテナ43を介して送信することができるように処理してもよい。
【００５８】
いくつかの実装形態では、トランシーバ47を受信機と置き換えてもよい。また、ネットワークインターフェース27を、プロセッサ21に送信すべき画像データを記憶または生成することのできる画像源と置き換えてもよい。プロセッサ21は、表示デバイス40の動作全体を制御してもよい。プロセッサ21は、圧縮された画像データなどのデータをネットワークインターフェース27または画像源から受信し、データを処理して生画像データまたは生画像データに容易に処理されるフォーマットに変換する。プロセッサ21は、処理済みのデータを記憶できるようにドライバコントローラ29またはフレームバッファ28に送ってもよい。生データは通常、画像内の各位置での画像特性を識別する情報を指す。たとえば、そのような画像特性は、色、彩度、およびグレースケールレベルを含んでもよい。
【００５９】
プロセッサ21は、表示デバイス40の動作を制御するマイクロコントローラ、CPU、または論理ユニットを含んでもよい。調整ハードウェア52は、信号をスピーカ45に送信し、マイクロフォン46から信号を受信するための増幅器およびフィルタを含んでもよい。調整ハードウェア52は、表示デバイス40内の離散構成要素であっても、プロセッサ21もしくは他の構成要素内に組み込まれてもよい。
【００６０】
ドライバコントローラ29は、プロセッサ21によって生成された生画像データをプロセッサ21から直接取り込んでも、フレームバッファ28から取り込んでもよく、かつ生画像データをアレイドライバ22に高速に送信できるように適切に再フォーマットすることができる。いくつかの実装形態では、ドライバコントローラ29は、生画像データをラスタ状フォーマットを有するデータフローに再フォーマットしてもよく、したがって、ドライバコントローラ29は、ディスプレイアレイ30を横切ってスキャンするのに適した時間順を有する。次いで、ドライバコントローラ29は、フォーマット済みの情報をアレイドライバ22に送る。LCDコントローラなどのドライバコントローラ29は、スタンドアロン集積回路(IC)としてのシステムプロセッサ21に関連付けられることが多いが、そのようなコントローラは多数の方法で実現されてもよい。たとえば、コントローラは、ハードウェアとしてプロセッサ21に埋め込まれても、ソフトウェアとしてプロセッサ21に埋め込まれても、ハードウェアにおいてアレイドライバ22と完全に一体化されてもよい。
【００６１】
アレイドライバ22は、ドライバコントローラ29からフォーマット済みの情報を受信してもよく、ディスプレイの画素のx-yマトリクスからの数百本、場合によっては数千本(またはそれよりも多く)のリード線に1秒当たりに何度も印加される互いに平行な1組の波形に、映像データを再フォーマットしてもよい。
【００６２】
いくつかの実装形態では、ドライバコントローラ29、アレイドライバ22、およびディスプレイアレイ30は、本明細書において説明するディスプレイの種類のうちのいずれにも適切である。たとえば、ドライバコントローラ29は、従来のディスプレイコントローラ、双安定ディスプレイコントローラ(IMODコントローラなど)、またはマルチステートディスプレイコントローラであってもよい。また、アレイドライバ22は、従来のドライバ、双安定ディスプレイドライバ(IMODディスプレイドライバなど)、またはマルチステートディスプレイコントローラであってもよい。さらに、ディスプレイアレイ30は、従来のディスプレイアレイ、双安定ディスプレイアレイ(たとえばIMODのアレイ含むディスプレイ)、またはマルチステートディスプレイアレイであってもよい。いくつかの実装形態では、ドライバコントローラ29は、アレイドライバ22と一体化されてもよい。そのような実装形態は、セルラーまたは携帯電話、ポータブル電子デバイス、腕時計、および他の小エリアディスプレイなど高集積システムで一般的である。
【００６３】
いくつかの実装形態では、入力デバイス48は、たとえばユーザが表示デバイス40の動作を制御するのを可能にするように構成されてもよい。入力デバイス48は、QWERTYキーボードもしくは電話キーパッドのようなキーパッド、ボタン、スイッチ、ロッカー、タッチ感応スクリーン、または圧力感応膜もしくは熱感応膜を含んでもよい。マイクロフォン46は、表示デバイス40用の入力デバイスとして構成されてもよい。いくつかの実施形態では、マイクロフォン46を通じた音声コマンドを使用して表示デバイス40の動作を制御してもよい。
【００６４】
電源50は、当技術分野でよく知られているように、様々なエネルギー蓄積デバイスを含み得る。たとえば、電源50は、ニッケルカドミウム電池またはリチウムイオン電池のような再充電可能電池であってもよい。電源50は、再生可能なエネルギー源、コンデンサ、またはプラスチック太陽電池もしくは塗料型太陽電池を含む太陽電池であってもよい。電源50は、壁付きコンセントから電力を受けるように構成されてもよい。
【００６５】
いくつかの実装形態では、電子表示システム内のいくつかの場所に配置されてもよいドライバコントローラ29に制御プログラム性が存在する。いくつかの他の実装形態では、アレイドライバ22に制御プログラム性が存在する。上述の最適化は、任意の数のハードウェア構成要素および/またはソフトウェア構成要素ならびに様々な構成において実施されてもよい。
【００６６】
本明細書において開示された実装形態に関連して説明した様々な例示的な論理、論理ブロック、モジュール、回路、およびアルゴリズムステップは、電子ハードウェア、コンピュータソフトウェア、またはその両方の組合せとして実現されてもよい。ハードウェアとソフトウェアの互換性について、概して機能に関して説明し、上述の様々な例示的な構成要素、ブロック、モジュール、回路、およびステップを示した。そのような機能がハードウェアにおいて実現されるかそれともソフトウェアにおいて実現されるかは、システム全体に課される用途および設計上の特定の制約によって決まる。
【００６７】
本明細書において開示された各態様に関連して説明した様々な例示的な論理、論理ブロック、モジュール、および回路を実現するのに使用されるハードウェアおよびデータ処理装置は、本明細書において説明した機能を実行するように設計された、汎用シングルチッププロセッサまたは汎用マルチチッププロセッサ、デジタル信号プロセッサ(DSP)、特定用途向け集積回路(ASIC)、フィールドプログラマブルゲートアレイ(FPGA)もしくは他のプログラム可能な論理デバイス、離散ゲートもしくはトランジスタ論理、離散ハードウェア構成要素、またはそれらの任意の組合せによって実現または実行されてもよい。汎用プロセッサは、マイクロプロセッサ、または任意の従来のプロセッサ、コントローラ、マイクロコントローラ、もしくは状態マシンであってもよい。プロセッサはまた、コンピューティングデバイスの組合せ、たとえば、DSPとマイクロプロセッサとの組合せ、複数のマイクロプロセッサ、DSPコアと連携する1つもしくは複数のマイクロプロセッサ、または任意の他のそのような構成として実装することができる。いくつかの実装形態では、特定のステップおよび方法は、所定の機能に特有の回路で実行されてもよい。
【００６８】
1つまたは複数の態様では、前述の機能は、本明細書において開示された構造およびそれらの構造均等物を含むハードウェア、デジタル電子回路、コンピュータソフトウェア、ファームウェア、またはそれらの任意の組合せにおいて実現されてもよい。本明細書において説明した主題の実装形態は、1つまたは複数のコンピュータプログラム、すなわち、データ処理装置によって実行できるようにまたはデータ処理装置の動作を制御するためにコンピュータ記憶媒体上に符号化されたコンピュータプログラム命令の1つまたは複数のモジュールとして実現されてもよい。
【００６９】
当業者には、本開示において説明した実装形態の様々な修正形態が容易に明らかになろう。本明細書において定められた一般原則は、本開示の趣旨または範囲から逸脱せずに他の実装形態に適用されてもよい。したがって、特許請求の範囲は、本明細書に示された実装形態に限定されるようには意図されておらず、本開示、原理および本明細書に開示された新規の特徴と一致する最も広い範囲を認められることになっている。当業者には、語「上部」および「下部」が、時には各図の説明を容易にするために使用されており、適切な向きに定められた頁上の図の向きに対応する相対的な位置を示しており、実現されるフラッシュ照明システムの適切な向きを反映しない場合があることが容易に理解されよう。
【００７０】
本明細書において別々の実装形態の文脈で説明したある特徴は、単一の実装形態において組み合わされて実現されてもよい。逆に、単一の実装形態の文脈で説明した様々な特徴を複数の実装形態において別々に実現しても、任意の適切な部分組合せとして実現してもよい。さらに、各特徴は、上記ではある組合せにおいて働くように記載されており、さらに最初からそのように請求されている可能性があるが、請求された組合せの1つまたは複数の特徴は、場合によってはその組合せから実現されてもよく、請求された組合せは、部分組合せまたは部分組合せの変形例を対象とするものであってもよい。
【００７１】
同様に、動作は特定の順序で図面に示されているが、そのような動作は、望ましい結果を達成するために、示される特定の順序でまたは順番に実行される必要がないことを、あるいはすべての図示の動作が実行される必要があるとは限らないことを、理解されたい。また、各図面は、例示的な1つまたは複数のプロセスを流れ図の形で概略的に示してもよい。しかし、図示されていない他の動作を概略的に示されている例示的なプロセスに組み込んでもよい。たとえば、1つまたは複数の追加の動作が、例示された動作のうちの任意の動作の前もしくは後、または任意の動作と同時に、または任意の動作同士の間に実行されてもよい。ある状況では、マルチタスキングおよび並列処理が有利である場合がある。さらに、上記で説明した実装形態における様々なシステム構成要素の分離は、すべての実装形態におけるそのような分離を必要とするものと理解されないものとする。また、他の実装形態も以下の特許請求の範囲の範囲内である。場合によっては、特許請求の範囲に記載された動作を異なる順序で実行してもよく、しかも望ましい結果を実現することができる。
【符号の説明】
【００７２】
21  プロセッサ
22  アレイドライバ
27  ネットワークインターフェース
28  フレームバッファ
29  ドライバコントローラ
30  ディスプレイ
40  表示デバイス
41  ハウジング
42  カメラレンズ
43  アンテナ
44  フラッシュ照明システム
45  スピーカ
46  マイクロフォン
47  トランシーバ
48  入力デバイス
49  カメラ
50  電源
52  調整ハードウェア
100  フラッシュ照明システム
110  セクション
111  セクション
112  セクション
113  セクション
120  光源
122  単一の発光領域
124  重心
125  光源パッケージ
126  出口開口
127  重心
130  電気接続
135  光源ハウジング
150  反射器
152  入力開口
154  出力開口
155  側壁
200  フラッシュ照明システム
210  セクション
211  セクション
212  セクション
213  セクション
220  第1の単一の発光領域
221  第2の単一の発光領域
222  第3の単一の発光領域
223  第4の単一の発光領域
300  フラッシュ照明システム
310  セクション
311  セクション
312  セクション
313  セクション
320  第1の単一の発光領域
321  第2の単一の発光領域
322  第3の単一の発光領域
323  第4の単一の発光領域
400  フラッシュ照明システム
425  出口開口
426  フランジ
450  入力開口
500  フラッシュ照明システム
525  出口開口
526  開口
550  入力開口
551  突起部
611  セクション
700  フラッシュ照明システム
710  セクション
711  セクション
712  セクション
713  セクション
730  入力開口
731  入力開口
732  入力開口
【要約】
フラッシュ照明のためのシステムおよび方法が開示される。一態様では、フラッシュ照明システムは、各々光源および反射器を含むセクションを含む。光源の各々は、第1の重心を有する単一の発光領域と、単一の発光領域を囲むパッケージとを含む。パッケージは、第2の重心を有する出口開口を有する。第1の重心は、第2の重心から横方向にオフセットされ得る。反射器は、入力開口と、出力開口と、それらの間の1つまたは複数の側壁とを含む。入力開口は、出口開口に光学的に結合される。1つまたは複数の側壁は、光源から伝搬する光をコリメートするように構成される。【図１Ａ】
0005699257.tif 000002
【図１Ｂ】
0005699257.tif 000003
【図２Ａ】
0005699257.tif 000004
【図２Ｂ】
0005699257.tif 000005
【図３Ａ】
0005699257.tif 000006
【図３Ｂ】
0005699257.tif 000007
【図４】
0005699257.tif 000008
【図５】
0005699257.tif 000009
【図６Ａ】
0005699257.tif 000010
【図６Ｂ】
0005699257.tif 000011
【図７Ａ】
0005699257.tif 000012
【図７Ｂ】
0005699257.tif 000013
【図８Ａ】
0005699257.tif 000014
【図８Ｂ】
0005699257.tif 000015
【図９Ａ】
0005699257.tif 000016
【図９Ｂ】
0005699257.tif 000017
【図９Ｃ】
0005699257.tif 000018